(57)【要約】【課題】移動中のＴＶなどの視聴率を、簡単な付加装置により、容易に得る事が出来ると共に、その構成を簡単にできる視聴率自動収集システムおよびその視聴率自動収集方法を提供する。【解決手段】ＴＶ付き携帯端末１０のＴＶ視聴データを、その携帯端末ネットワーク２０の視聴率用サーバ２１に記憶し、各携帯端末ネットワーク２０に記憶したＴＶ視聴データを視聴率集計センタ３０で集計して各ＴＶ視聴率データを計算して各ユーザに配布することを特徴とする。【選択図】  図１
2006080849.tif 000002
【特許請求の範囲】
【請求項１】
ＴＶ付き携帯端末で視聴したチャンネルおよびその視聴時刻を含むＴＶ視聴データを、前記ＴＶ付き携帯端末から送出し、その携帯端末ネットワークの視聴用サーバに記憶し、各携帯端末ネットワークの視聴率用サーバに記憶したＴＶ視聴データを視聴率集計センタに送出し、前記視聴率集計センタで受けたＴＶ視聴データを集計して各ＴＶ視聴率データを算出することを特徴とする視聴率自動収集システム。
【請求項２】
ＴＶ付き携帯端末は、ＴＶ視聴データを所定周期ごとに自動的に読み出して視聴用サーバに送出する請求項１記載の視聴率自動収集システム。
【請求項３】
ＴＶ付き携帯端末が、カーナビゲーション装置（カーナビ）に付加されたものである請求項１または２記載の視聴率自動収集システム。
【請求項４】
ＴＶ付き携帯端末が、ＴＶ付き携帯電話である請求項１または２記載の視聴率自動収集システム。
【請求項５】
ＴＶ付き携帯端末で視聴したチャンネルおよびその視聴時刻を含むＴＶ視聴データを、前記ＴＶ付き携帯端末から送出し、その携帯端末ネットワークの視聴用サーバに記憶し、各携帯端末ネットワークの視聴用サーバに記憶したＴＶ視聴データを視聴率集計センタに送出し、前記視聴率集計センタで受けた各ＴＶ視聴率データを集計して各ＴＶ視聴率データを算出することを特徴とする視聴率自動収集方法。
【請求項６】
ＴＶ付き携帯端末は、ＴＶ視聴データを所定周期ごとに自動的に読み出して視聴用サーバに送出する請求項５記載の視聴率自動収集方法。
【請求項７】
ＴＶ付き携帯端末が、カーナビに設けられている請求項５または６記載の視聴率自動収集方法。
【請求項８】
各ＴＶ付き携帯端末で視聴したチャンネルおよびその視聴時刻を含むＴＶ視聴データを前記各ＴＶ付き携帯端末からそれぞれ受けて記憶する記憶手段と、この記憶手段に集計したＴＶ視聴データを視聴率集計センタに送出するデータ配送手段とを備え、前記携帯端末ネットワーク内に設けられたことを特徴とする視聴データ用サーバ。
【請求項９】
ＴＶ視聴データは、ＴＶ付き携帯端末から所定周期ごとに自動的に入力されるようにした請求項８記載の視聴データ用サーバ。
【請求項１０】
視聴したＴＶチャンネルおよびその視聴時刻を含むＴＶ視聴データを、携帯端末ネットワーク内に設けた視聴用サーバに送出する視聴データ送出手段を備えることを特徴とするＴＶ付き携帯端末。
【請求項１１】
視聴データ送出手段が、ＴＶ視聴データを一時記憶する記憶部と、この記憶部に記憶したＴＶ視聴データを所定周期ごとに読み出して視聴用サーバに送出する視聴データ送出部を備える請求項１０記載のＴＶ付き携帯端末。
【請求項１２】
ＴＶ視聴データの自動送信機能をアクティブ ／インアクティブに切替える切替設定手段を有する請求項１０記載のＴＶ付き携帯端末。
【請求項１３】
視聴データ送出部は、周期的に記憶部を確認し、ＴＶを視聴していると識別した場合に、ＴＶ視聴データを視聴用サーバへ送出する機能を有する請求項１１記載のＴＶ付き携帯端末。
【請求項１４】
操作部で操作する際に、一定時間以上視聴チャンネルの変更がない場合には、記憶部の記憶内容をクリアする請求項１１記載のＴＶ付き携帯端末。
【請求項１５】
請求項１０乃至１４記載のＴＶ付き携帯端末が、携帯電話またはカーナビゲーション装置であるＴＶ付き携帯端末。
【発明の詳細な説明】
【技術分野】
【０００１】
本発明は、視聴率自動収集システムおよびその視聴率自動収集方法に関し、特に携帯端末を用いた移動機の視聴率を収集する視聴率自動収集システムおよびその視聴率自動収集方法に関する。
【背景技術】
【０００２】
現在、テレビジョン（ＴＶ）の視聴率調査は、リクエスト、応募、意見などの情報から統計分析するアンケート方式と、視聴番組収集機によるオンライン方式とがあるが、オンライン方式の方が早く正確なため、このオンライン方式を実施することが多い。オンライン方式は、専門業者であるＶＩＤＥＯ・ＲＥＳＥＡＲＣＨ（ビデオリサーチ）社が、専用の視聴番組収集機によって行っている。すなわち、番組モニタとして依頼された世帯のＴＶ受信機には、その視聴番組収集機やその送受信機に取り付けられる。この視聴番組収集機の視聴データは、電話回線を使って視聴データ集計センタに送られて、そこで視聴率データが計算される。そして、この視聴率データは、放送局、新聞社や出版社に提供される。
【０００３】
この視聴番組収集機を用いた場合、視聴番組収集機やその送受信機の設置が必要であり、設置、調整に費用と時間がかかり、その取り扱いも大変である。そのため、ＰＨＳ（ｐｅｒｓｏｎａｌ  ｈａｎｄｙ−ｐｈｏｎｅｓｙｓｔｅｍ）システムを利用した視聴率自動収集システムが提案されている。
【０００４】
このＴＶの視聴率自動収集システム（従来例１）として、特許文献１に示すものがある。図５は各世帯とネットワーク及びデータ集計センタの関係を示す模式図である。このシステムは、ＰＨＳのデータ送受信システムを組み込んだＴＶ用リモコン１０６を、各世帯１０１の各個人に貸与し、各リモコンは操作履歴を内蔵ＲＡＭに記録し、その履歴データをＰＨＳシステムが所定周期でデータ集計センタ３０ａにメール送信する。センタ３０ａでは一定期間または任意時間にメールボックスをアクセスしてデータを分析し、世帯視聴率や個人視聴率を求めている。
【０００５】
図５において、それぞれＴＶ１０７ａ〜１０７ｎをもつ各世帯１０１ａ〜１０１ｎは、ＰＨＳに係るＰＩＡＦＳ（ＰＨＳ：ｉｎｔｅｒｎｅｔ  ＡｃｃｅｓｓＦｏｒｕｍ  Ｓｔａｎｄａｒｄ）対応のネットワーク１０２に含まれている。また、このＰＩＡＦＳ対応のネットワーク１０２はインターネット１０３を介してデータ集計センタ３０ａと接続されている。そして、各世帯１０１ａ〜１０１ｎにはデータ集計センタ３０ａ側からそれぞれリモートコマンダ１０６ａ〜１０６ｎが貸与されており、各世帯１０１ａ〜１０１ｎではそれを使用して家庭のＴＶ１０７ａ〜１０７ｎを制御する。尚、各リモートコマンダ１０６ａ〜１０６ｎのＴＶ制御コードは、予め各世帯１０１ａ〜１０１ｎのＴＶ１０７ａ〜１０７ｎに対応したものに初期設定されている。
【０００６】
ここでリモートコマンダ１０６ａ〜１０６ｎは、通例のＴＶ用リモートコマンダと同様であるが、ＰＨＳ電話機に適用されているアンテナが付設されている。各リモートコマンダ１０６ａ〜１０６ｎとＰＩＡＦＳ対応のネットワーク１０２との関係を説明する。図における基地局１０５ａ〜１０５ｎは各世帯１０１ａ〜１０１ｎをサービスエリアにもつ。これら各基地局１０５ａ〜１０５ｎを統括しているＰＩＡＦＳ独自のネットワーク上にはメールサーバ１１０が設置されているが、そのメールサーバ１１０には予めデータ集計センタ３０ａのメールボックス１１１が登録されている。そして、そのメールボックス１１１に対してはインターネット１０３を介してデータ集計センタ３０ａ側からアクセスでき、そのアクセスによってデータ集計センタ３０ａがメールボックス１１１に蓄積されているデータを任意のタイミングで取り出すことが可能になっている。
【０００７】
リモートコマンダ１０６ａ〜ｎでＴＶ１０７ａ〜ｎに対する電源ＯＮ操作が行われると、ＬＥＤを起動し、同操作に対応した変調赤外線をＴＶ１０７ａ〜ｎ側へ射出してＴＶ１０７ａ〜ｎの電源をＯＮにする。これと同時に、その時点でのタイマーの計測時刻を読取り、電源ＯＮ操作の操作種別コードと時刻データをＲＡＭなどのメモリへ書き込む。
【０００８】
ＴＶ１０７ａ〜ｎの電源がＯＮになった後に、リモートコマンダ１０６ａ〜ｎでチャンネル選択操作がなされると、リモコン制御部がドライバによってＬＥＤを起動する。そして、その操作に対応した変調赤外線をＴＶ１０７ａ〜ｎ側へ射出してＴＶ１０７ａ〜ｎのチャンネルを選択されたチャンネルに設定する。この時、チャンネル操作の操作種別コードとその時点でのタイマーの計測時刻データとチャンネルデータをメモリへ書き込む。また、電源ＯＦＦ操作であれば、ＴＶの電源をＯＦＦにすると共に、電源ＯＦＦ操作の操作種別コードとその時刻データをメモリへ書き込む。このようにして、メモリには、操作履歴を時系列的に表現したデータが記録・格納されてゆく。
【０００９】
一方、リモートコマンダ１０６ａ〜ｎは、所定時間：ΔＴ（例えば、１５分間）毎に、周期的動作をする。すなわち、所定時間ΔＴ毎に、自動的にＰＨＳシステムを立ち上げ、メモリへデータを書き込み中か否かを確認し、書き込み中でなければ端末ＩＤとその時点でメモリに格納・蓄積されているデータを、ネットワーク 上のメールボックス１１１宛てに送信する。また、メモリへ書き込み中の場合には、一旦待機して書き込みが完了した後に、前記と同様に端末ＩＤとその書き込み後の全てのデータをメールボックス１１１宛てに送信する。そして、送信済となったメモリのデータはクリアされ、再びその後の操作による履歴が記録・格納されてゆく。従って、各世帯１０１ａ〜ｎのリモートコマンダ１０６ａ〜ｎにおける上記の動作により、ネットワーク上のメールボックス１１１には、各世帯の操作履歴データが順次蓄積されてゆく。
【００１０】
一方，データ集計センタ３０ａ側は、所定時間：ΔＴ（例えば、３０分間）が経過する度に、データ収集動作を実行する。即ち、所定時間ΔＴ毎に、インターネット１０３を介してネットワーク上のメールボックス１１１をアクセスし、そのメールボックス１１１に蓄積されている全てのデータをデータ集計センタ３０ａのデータベースサーバへダウンロードさせて格納する。
【００１１】
以上の結果、データ集計センタ３０ａには、モニタとなった各世帯１０１ａ〜１０１ｎのＴＶ操作履歴データが収録されることになるが、端末ＩＤが各世帯１０１ａ〜１０１ｎに対応付けられているため、同一の端末ＩＤデータに係るＴＶ操作履歴データを時系列的に整理すれば、各世帯毎のＴＶ視聴率を求めることができる（例えば、特許文献１参照）。
【００１２】
例えば、図６のように、操作履歴データからは、９時１２分３３秒から９時２０分５５秒までは先の電源ＯＦＦ時点のチャンネルが、９時２０分５５秒から９時２３分０９秒らまでは６チャンネルが、９時２３分０９秒から１０時０３分４４秒までは１０チャンネルが、１０時０３分４４秒から１１時５７分１５秒までは１チャンネルが、また、１８時３０分４９秒から１９時４５分２６秒までは８チャンネルが、…が、それぞれ視聴されていたという世帯視聴率データを得ることができる。
また、別の従来例２として、携帯電話にＴＶリモコン機能を組み込んだシステムが特許文献２に示されている。このシステムでは、ＴＶリモコンに内蔵した記憶媒体に利用者が行ったＴＶ番組選択の番組ヒストリ（視聴した番組、時間等）を蓄積している。この蓄積されたＴＶ視聴データは、携帯電話のインターネットを経由で視聴率サーバに送信して蓄積される。視聴率データ集計センタは、視聴率サーバに蓄積された視聴データを、インターネット経由で視聴率サーバに接続して入手できる。従って、データ集計センタでは、そのＴＶ番組視聴データからそれぞれのＴＶ番組視聴率を計算することが出来る。
【００１３】
【特許文献１】特開２００２−０７７４３６号
【特許文献２】特開２００２−１３５８１０号
【発明の開示】
【発明が解決しようとする課題】
【００１４】
しかし、この従来技術１では、ＴＶ視聴するためのリモートコマンダを各世帯に貸与する必要があり、システム構成が複雑になるという問題がある。さらに、カーナビＴＶ、携帯ＴＶなどの移動中ＴＶの視聴者はカバーできてないという問題がある。
【００１５】
また、従来技術２では、携帯端末を利用して視聴率データを取得出来るが、この場合も、ＴＶ用リモートコマンダを携帯端末にもたせているため、このリモートコマンダ付き携帯端末を使用しない場合には、データが得られず、また、カーナビＴＶ、携帯ＴＶなどの移動中ＴＶの視聴者はカバーできてないという問題がある。
【００１６】
本発明の主な目的は、自動車などで移動中のＴＶなどの視聴率を、簡単な付加装置により、容易にチェックする事が出来ると共に、その構成を簡単にできる視聴率自動収集システムおよびその視聴率自動収集方法をを提供することにある。
【課題を解決するための手段】
【００１７】
本発明の視聴率自動収集システムの構成は、ＴＶ付き携帯端末で視聴したチャンネルおよびその視聴時刻を含むＴＶ視聴データを、前記ＴＶ付き携帯端末から送出し、その携帯端末ネットワークの視聴用サーバに記憶し、各携帯端末ネットワークの視聴率用サーバに記憶したＴＶ視聴データを視聴率集計センタに送出し、前記視聴率集計センタで受けたＴＶ視聴データを集計して各ＴＶ視聴率データを算出することを特徴とする。
【００１８】
本発明において、ＴＶ付き携帯端末は、ＴＶ視聴データを所定周期ごとに自動的に読み出して視聴用サーバに送出することができ、また、ＴＶ付き携帯端末が、カーナビゲーション装置（カーナビ）に付加されたもの、またはＴＶ付き携帯電話であることができる。
【００１９】
本発明の視聴率自動収集方法の構成は、ＴＶ付き携帯端末で視聴したチャンネルおよびその視聴時刻を含むＴＶ視聴データを、前記ＴＶ付き携帯端末から送出し、その携帯端末ネットワークの視聴用サーバに記憶し、各携帯端末ネットワークの視聴率用サーバに記憶したＴＶ視聴データを視聴率集計センタに送出し、前記視聴率集計センタで受けたＴＶ視聴データを集計して各ＴＶ視聴率データを算出することを特徴とする。
【００２０】
本発明の視聴データ用サーバの構成は、各ＴＶ付き携帯端末で視聴したチャンネルおよびその視聴時刻を含むＴＶ視聴データを前記各ＴＶ付き携帯端末からそれぞれ受けて記憶する記憶手段と、この記憶手段に集計したＴＶ視聴データを視聴率集計センタに送出するデータ配送手段とを備え、前記携帯端末ネットワーク内に設けられたことを特徴とする。
【００２１】
本発明のＴＶ付き携帯端末の構成は、視聴したＴＶチャンネルおよびその視聴時刻を含むＴＶ視聴データを、携帯端末ネットワーク内に設けた視聴用サーバに送出する視聴データ送出手段を備えることを特徴とする。
【００２２】
本発明において、視聴データ送出手段が、ＴＶ視聴データを一時記憶する記憶部と、この記憶部に記憶したＴＶ視聴データを所定周期ごとに読み出して視聴用サーバに送出する視聴データ送出部を備えることができ、また、ＴＶ視聴データの自動送信機能をアクティブ ／インアクティブに切替える切替設定手段を有することができ、また、視聴データ送出部は、周期的に記憶部を確認し、ＴＶを視聴していると識別した場合に、ＴＶ視聴データを視聴用サーバへ送出する機能を有することができ、また、操作部で操作する際に、一定時間以上視聴チャンネルの変更がない場合には、記憶部の記憶内容をクリアすることができる。
【発明の効果】
【００２３】
以上説明したように、本発明によれば、携帯端末などの移動中のＴＶ視聴状況を把握することが出来るという効果がある。また、本発明によれば、装置構成が簡単であるため、対象加入者（サンプル）を容易に増やせることが出来、従って視聴率の計算精度が上がると共に、さらに視聴率の自動化処理により、ＴＶ視聴率の不正操作が困難になるという効果もある。
【発明を実施するための最良の形態】
【００２４】
次に図面により本発明の実施形態を説明する。図１は本発明の一実施形態のブロック図である。図１に示すように、本実施形態は、ＴＶ付き携帯端末１０，１０ａ〜１０ｅを対象にした視聴率自動収集システムである。すなわち、ＴＶ付き携帯端末１０，１０ａ、１０ｂおよび１０ｃ〜１０ｅは、それぞれ携帯電話ネットワーク２０，２０ａに含まれ、ＴＶ付き携帯端末１０，１０ａ〜１０ｅからそれぞれＴＶ視聴データが送出される。この携帯電話ネットワーク２０，２０ａには、通常のメールサーバの他に、視聴データを集計するための視聴データサーバ２１，２１ａが設けられ、それぞれＴＶ付き携帯端末１０，１０ａ〜１０ｅからのＴＶ視聴データを受ける。
【００２５】
これら視聴データサーバ２１，２１ａからのＴＶ視聴データは、視聴率データ集計センタ３０に送られ、集計され、視聴率データが求められる。視聴率データ集計センタ３０で求められた視聴率データは、それぞれユーザである新聞社４１、出版社４２や放送局４３に配送される。
【００２６】
図２は本実施形態のＴＶ付き携帯端末１０、視聴データサーバ２１および視聴率データ集計センタ３０の構成を示すブロック図である。図において、ＴＶ付き携帯端末１０は、携帯端末部１１とＴＶ部１２との他に、操作部１３、視聴データ作成部１４、記憶部１５および配送部１６から構成される。操作部１３は、携帯端末部１１とＴＶ部１２との操作を行うが、視聴データ作成部１４は、ＴＶ部１２を視聴する操作部１３のスイッチ操作に対応して、視聴チャンネルと視聴時間を記憶部１５に一時記憶させるとともに、配送部１６から、視聴データサーバ２１に向けて出力される。
【００２７】
この場合の視聴データは、ＴＶ付き携帯端末１０からの出力が、図６と同様のものとなる。ここでは、ＴＶを見ていない時のデータも出力しているが、ＴＶを視聴している時のチャンネルデータのみを配送するようにしてもよい。この場合、ＴＶＳＷオンからＳＷオフの間の選択チャネル（視聴中）を記憶部１６に記憶すればよい。
【００２８】
また、ＴＶのＳＷをオン・オフ操作する事を考慮して、一定時間（例えば３時間）チャンネル変更がない場合に、この一定時間（３時間）毎に記憶部１６をクリアする事も考えられる。これは、携帯端末ではこのように長時間連続してＴＶの同じチャンネルを視聴することが考えられないからである。また、ＴＶの視聴が継続されていることを確認するため、携帯電話機１０内に、周期的（例えば１０分）にそのメモリ１６を確認し、ＴＶを視聴していると識別した場合に、その視聴チャンネル情報を配送部１７から配送することもできる。
【００２９】
次に、携帯端末１０の配送部１７からの出力は、視聴データサーバ２１に入力され、その記憶部２２に記憶される。この場合は、記憶部２２には、例えば図３のようなデータが蓄積される。各携帯端末１０，１０ａ〜１０ｄからの視聴データは、視聴データサーバ２１，２１ａを介してそれぞれ記憶部２２、２２ａに集められ、視聴率データ集計センタ３０に送られ、集計される。
【００３０】
なお、図３は、サーバ２１から記憶部２２に入力された視聴データを示している。視聴データは、加入者識別番号（契約者ＩＤ）、受信時間、受信チャンネルおよびその動作モード（例えば、移動中の場合○印）などから構成される。例えば、契約者ＩＤ１０１は、移動中に９時１０分から９時４０分まで、チャンネルＣ１を見て、１０分間中断し、また９時５０分から１０時１０分まで、チャンネルＣ１を見たことを示す。また、契約者ＩＤ１０２は、停止中に９時１５分から９時５０分まで、チャンネルＣ１を見て、４０分間中断し、また１０時３０分から１１時０１分まで、チャンネルＣ２を見たことを示す。
この視聴データの送信情報には、必要に応じて視聴装置の種類（ＴＶ、カーナビ、携帯ＴＶなど）や視聴装置の位置情報等を付加することができる。この位置情報は、どこでＴＶ視聴していたかを確認するもので、例えばＧＰＳ内蔵の携帯電話の場合に可能である。
【００３１】
図２に戻って、視聴率データ集計センタ３０では、受信部３１で受けた各視聴データサーバ２１，２１ａからのデータを演算部３２でまとめ、視聴情報を統計集計し、各ＴＶ番組の視聴率を計算する。そして集計された視聴率データを送信部３３から配信契約者４１〜４３へ配信する。
【００３２】
本実施形態は、各記憶部１６を周期的（例えば１０分）に処理しているので、その処理タイミングを調整することにより、リアルタイムな情報（視聴率データ）の配信を可能に出来る。
【００３３】
本実施形態の視聴率自動収集システムでは、ＴＶ付き携帯端末１０，１０ａ〜１０ｅの中に、視聴データを視聴データサーバ２１，２１ａに配送するための回路が付加される。この付加回路は、視聴データ作成部１４、記憶部１５および配送部１６であるが、記憶部１５も、視聴チャンネルと視聴時間を記憶するだけで、データ量も少ないので、極めて簡単な回路で済ませることが出来る。すなわち、ビデオリサーチ社が設置するような専用の機器を不要とし、また、専用のリモコンを貸与する必要もない。
【００３４】
本実施形態の構成により、ＴＶ付き携帯端末などの移動中のＴＶ視聴状況を把握することが出来ると共に、その装置構成が簡単であるため、対象加入者（サンプル）を容易に増やせることが出来、従って視聴率の計算精度が上がると共に、さらに視聴率の自動化処理により、ＴＶ視聴率の不正操作が困難になるという特徴がある。
【００３５】
なお、本実施形態の視聴率自動収集システムを採用するには、本実施形態のような付加回路を設けたＴＶ付き携帯端末を普及させる必要がある。そのためには、ＴＶ付き携帯端末に、視聴データの自動送信機能をアクティブ／インアクティブと切替える機能をもたせておく必要がある。そして、この視聴データの提供を承諾した加入者には、加入者へ手渡し時に、自動送信機能をアクティブに設定する。そして、この視聴データの提供を承諾した加入者にはポイント加算、割引などのインセンティブを与えるようすればよい。
【００３６】
その場合には、携帯電話加入者には費用負担を課さずに、インセンティブを与えられるので、加入者を増加することが出来、ひいては、ＴＶ視聴率精度を上げることも出来るようになる。
【００３７】
このポイント加算、割引などのインセンティブを与える場合には、視聴率データ集計センタ３０からのデータが、ＴＶ付き携帯端末１０からインターネットを介してチェック出来るようにしておけばよい。
【実施例１】
【００３８】
本実施例１は、実施形態の視聴率自動収集システムと同様の構成である。まず、本実施例の機能を運用する前提として、本実施例のサービス提供者（携帯事業者を想定）は視聴率購入顧客（放送局、新聞社など）と契約する。視聴率情報の提供を承諾する場合には、携帯電話契約時、すなわち、携帯電話機手渡し時に情報提供機能（アクティブ／インアクティブ切替）をアクティブに設定される。
【００３９】
ＴＶが内蔵された携帯電話機１０の場合、周期的にそのＴＶ視聴状況を確認しＴＶを視聴していると識別した場合、その視聴情報を視聴データ集計センタ３０へ送る。まず、ＴＶ付き携帯電話１０の視聴希望のチャンネルを設定する。そして、携帯電話１０内の視聴状況スキャン周期タイマー（１０分）により、その周期毎に、視聴チャンネルメモリを読み出す。そして、そのチャンネル情報に、移動中かどうか、ＴＶ種類（ＴＶ付き携帯電話、カーナビＴＶ）またその位置情報などを付加し、メール形式の固定のフォーマットにして視聴データ集計センタ３０へ送る。
【００４０】
視聴データ集計センタ３０では、不特定多数の携帯電話から送られてきた情報を、一般的な視聴率集計処理により処理し、を計算する。計算結果の各番組の視聴率は、視聴率購入顧客との契約状況に合わせ、適宜契約者へリアルタイムに視聴率情報を配信する。
【００４１】
本実施例は、ＴＶ内蔵携帯端末などの移動装置を対象にして移動中の視聴率を求めることを特徴とする。また、周期的（例えば１０分）に視聴状況を確認し、さらに一定時間（例えば３時間）チャンネル変更がない場合に、この一定時間毎に記憶部１６をクリアすることを特徴とする。また、ＴＶ視聴のチャネル情報に、移動中か否かや、ＴＶ種類（ＴＶ付き携帯端末や、ＴＶ付き携帯カーナビ）や、その移動装置の位置情報などを付加し、所定のフォーマットにして視聴率データ集計センタへ送ることが出来る。なお、本実施例における情報提供を承諾した加入者には、ポイントなどのインセンティブを与えることが出来る。
【実施例２】
【００４２】
図４は本発明の第２の実施例の携帯端末部分のブロック図であり、ＴＶを見られるカーナビに携帯電話が付加された場合で、ＴＶ付きカーナビ１９，１９ａを示す。このＴＶ付きカーナビ１９，１９ａは、図１に対して、カーナビ部１７、表示部１８が付加され、表示部１８は、カーナビ部１７とＴＶ部１２とを操作部１３の指示により切替えて表示出来るようになっている。カーナビ部１７は、通常の地図や音声指示により車の運転者に指示を与えるカーナビ機能を有し、カーナビ部１７の運用時にはカーナビ部の表示をし、ＴＶ視聴時にはＴＶ部１２の受像チャンネルを表示する。カーナビ部１７以外の本実施例の機能・動作は、実施例１と同様である。
【００４３】
本実施例は、カーナビに携帯電話を内蔵したもので、周期的に視聴状況を確認しＴＶを視聴していると識別した場合、視聴チャンネル情報を視聴データ集計センタ３０へ送る動作も、実施例１と同様である。
【産業上の利用可能性】
【００４４】
本発明は、ＴＶ付き携帯端末、携帯電話や、携帯電話・ＴＶ付きカーナビに適用できるが、ラジオ視聴率調査にも適用することが出来る。
【図面の簡単な説明】
【００４５】
【図１】本発明の第１の実施形態を説明する視聴率自動収集システムのブロック図である。
【図２】図１の携帯端末、視聴データサーバの部分の詳細ブロック図である。
【図３】図１の携帯端末１１のデータ構成を説明する図である。
【図４】本発明の第２の実施形態を説明する携帯端末部分のブロック図である。
【図５】従来例の視聴率自動収集システムのブロック図である。
【図６】図５の携帯端末のデータ構成を説明する図である。
【符号の説明】
【００４６】
１０，１０ａ〜１０ｅ    ＴＶ付き携帯端末
１１，１１ａ    携帯端末
１２、１２ａ    ＴＶ部
１３    操作部
１４    データ作成部
１５    記憶部
１６    配送部
１７    カーナビ部
１８    表示部
２０，２０ａ    携帯電話ネットワーク
２１，２１ａ    視聴データサーバ
２２，２２ａ    記憶部
３０，３０ａ    データ集計センタ
３１    受信部
３２    演算部
３３    送信部
１０１ａ〜１０１ｎ    世帯
１０２    ＰＨＳネットワーク
１０３    インターネット
１０５ａ〜１０５ｎ    ＰＨＳ基地局
１０６ａ〜１０６ｎ    リモートコマンダ
１０７ａ〜１０７ｎ    ＴＶ
１１０    メールサーバ
１１１    メールボックス（記憶装置）
【図１】
2006080849.tif 000003
【図２】
2006080849.tif 000004
【図３】
2006080849.tif 000005
【図４】
2006080849.tif 000006
【図５】
2006080849.tif 000007
【図６】
2006080849.tif 000008